(57)【要約】【課題】装着性の低下を抑制しつつ薄型化が可能なヘッドホンを提供する。【解決手段】可撓性を有するヘッドバンド１０と、可撓性を有し、一端部にヘッドバンドが取り付けられ、他端部にヘッドホンユニット５０が取り付けられるスライダ２０と、ヘッドバンドの端部またはスライダの一端部に設けられ、ヘッドバンドに対するスライダの周動を案内するスライド溝３０と、ヘッドバンドおよびスライダよりも高い剛性を有し、スライド溝に係合された状態で、ヘッドバンドの一面に対してヘッドバンドの一面に対向するスライダの一面が周動可能なように、ヘッドバンドの端部にスライダの一端部を保持するスライダガイド４０と、を備える。【選択図】図２
2010050647.tif 000002
【特許請求の範囲】
【請求項１】
可撓性を有するヘッドバンドと、
可撓性を有し、一端部に前記ヘッドバンドが取り付けられ、他端部にヘッドホンユニットが取り付けられるスライダと、
前記ヘッドバンドの端部または前記スライダの一端部に設けられ、前記ヘッドバンドに対する前記スライダの周動を案内するスライド溝と、
前記ヘッドバンドおよび前記スライダよりも高い剛性を有し、前記スライド溝に係合された状態で、前記ヘッドバンドの一面に対して前記ヘッドバンドの一面に対向する前記スライダの一面が周動可能なように、前記ヘッドバンドの端部に前記スライダの一端部を保持するスライダガイドと、
を備える、ヘッドホン。
【請求項２】
前記スライド溝には、前記スライダの周動範囲に対応する被係合面が形成され、
前記スライダガイドには、付勢力により係合面に対して係合可能な係合部が設けられ、
前記スライダガイドは、前記スライダの周動に応じて前記スライド溝に対して相対的に移動し、前記係合部が前記被係合面に係合した状態で、前記スライド溝との係合抵抗により前記スライダの周動を規制する、請求項１に記載のヘッドホン。
【請求項３】
前記スライダガイドは、前記スライド溝に係合された状態で、前記スライド溝との摩擦抵抗により前記スライダの周動を規制する、請求項１に記載のヘッドホン。
【請求項４】
前記スライダガイドは、前記ヘッドバンドの内周面に対して前記ヘッドバンドの内周面に対向する前記スライダの外周面が周動可能なように、前記ヘッドバンドの端部に前記スライダの一端部を保持する、請求項１に記載のヘッドホン。
【請求項５】
前記ヘッドバンドおよび前記スライダは、略同一の断面形状を有する、請求項１に記載のヘッドホン。
【発明の詳細な説明】
【技術分野】
【０００１】
本発明は、ヘッドホンに関する。
【背景技術】
【０００２】
従来、装着者の頭部のサイズに適応可能なアジャスト機構を有するヘッドホンが知られている。図８および図９は、アジャスト機構を有する従来のヘッドホンを示す図である。図８および図９に示すヘッドホンは、いずれも可撓性を有するヘッドバンド１およびスライダ２を含んで構成され、ヘッドホンユニット５が取り付けられたスライダ２がヘッドバンド１の両端部に取り付けられる。図８に示す挿入型のヘッドホン（下記特許文献１参照）では、中空状のヘッドバンド１に帯状のスライダ２が挿入された状態で取り付けられ、図９に示す挿通型のヘッドホンでは、ヘッドバンド１の外周側に張り出した挿通部に２本レール状のスライダ２が挿通された状態で取り付けられる。
【０００３】
アジャスト機構によりヘッドホンのサイズが調節可能であるので、装着者は、自らの頭部のサイズに適応させた状態でヘッドホンを利用することができる。また、ヘッドバンド１およびスライダ２が可撓性を有するので、装着者は、自らの頭部のサイズに追従するように撓んだ状態でヘッドホンを利用することができる。
【０００４】
【特許文献１】特許第３６１０６１８号公報
【発明の開示】
【発明が解決しようとする課題】
【０００５】
しかし、従来のヘッドホンでは、ヘッドバンド１およびスライダ２が互いに挿入または挿通された状態で取り付けられるので、例えば、ヘッドバンド１に対してスライダ２が薄くまたは細くなるなど、ヘッドバンド１とスライダ２との間で断面形状の差異が必然的に生じてしまう。
【０００６】
そして、断面形状の差異に起因して大きな剛性の差異が生じると、ヘッドバンド１に比してスライダ２の撓みが大きくなり、例えば、ヘッドバンド１に対して両端部のスライダ２が「ハ」の字状に撓んでしまうなど、装着者の頭部のサイズに追従するように均一に撓んだ状態でヘッドホンを利用できなくなる。これにより、ヘッドホンの装着性が低下するという問題がある。
【０００７】
また、従来のヘッドホンでは、ヘッドバンド１およびスライダ２が互いに挿入または挿通された状態で取り付けられるので、内空断面を確保するために、例えば、ヘッドバンド１の部材厚ｈが必然的に大きくなってしまう。なお、可撓性を有するヘッドバンド１およびスライダ２について、特にヘッドバンド１とスライダ２との接続部で所定の剛性を確保するために、接続部の部材厚ｈが大きくなるという側面もある。これにより、ヘッドホンの薄型化が困難になるという問題がある。
【０００８】
本発明は上記問題点に鑑みてなされたものであり、その目的は、装着性の低下を抑制しつつ薄型化が可能な、新規かつ改良されたヘッドホンを提供することにある。
【課題を解決するための手段】
【０００９】
上記課題を解決するために、本発明のある観点によれば、可撓性を有するヘッドバンドと、可撓性を有し、一端部にヘッドバンドが取り付けられ、他端部にヘッドホンユニットが取り付けられるスライダと、ヘッドバンドの端部またはスライダの一端部に設けられ、ヘッドバンドに対するスライダの周動を案内するスライド溝と、ヘッドバンドおよびスライダよりも高い剛性を有し、スライド溝に係合された状態で、ヘッドバンドの一面に対してヘッドバンドの一面に対向するスライダの一面が周動可能なように、ヘッドバンドの端部にスライダの一端部を保持するスライダガイドと、を備えるヘッドホンが提供される。
【００１０】
かかる構成によれば、ヘッドバンドおよびスライダが可撓性を有しており、ヘッドバンドおよびスライダよりも高い剛性を有し、スライド溝に係合されたスライダガイドにより、ヘッドバンドの一面に対してヘッドバンドの一面に対向するスライダの一面が周動可能なように、ヘッドバンドの端部にスライダの一端部が保持される。このため、ヘッドバンドおよびスライダは、互いに挿入または挿通されない状態で取り付けられる。
【００１１】
スライド溝に係合されたスライダガイドにより、ヘッドバンドの一面に対してヘッドバンドの一面に対向するスライダの一面が周動可能なように、ヘッドバンドの端部にスライダの一端部を保持するので、ヘッドバンドとスライダとの間で断面形状および剛性の差異を生じ難くすることができる。これにより、装着者の頭部のサイズに追従するように撓んだ状態でヘッドホンを利用可能となり、ヘッドホンの装着性の低下を抑制することができる。
【００１２】
また、ヘッドバンドの一面およびスライダの一面を介して、ヘッドバンドおよびスライダよりも高い剛性を有するスライダガイドにより、ヘッドバンドの端部にスライダの一端部を保持するので、内空断面の確保が不要となり、スライダガイドにより特に接続部での剛性の確保も容易となり、ヘッドバンドの部材厚を抑制することができる。これにより、ヘッドホンの薄型化を容易にすることができる。
【発明の効果】
【００１３】
本発明によれば、装着性の低下を抑制しつつ薄型化が可能なヘッドホンを提供することができる。
【発明を実施するための最良の形態】
【００１４】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１５】
［ヘッドホンの構成］
以下では、図１および図２を参照しながら、本発明の一実施形態に係るヘッドホンの構成について説明する。図１は、本実施形態に係るヘッドホンの装着状態を示す正面図である。図２は、ヘッドホンのアジャスト機構を示す縦断面図および側面図である。
【００１６】
図１に示すように、ヘッドホンは、ヘッドバンド１０、ヘッドバンド１０の両端部に取り付けられたスライダ２０、スライダ２０の一端部に取り付けられたヘッドホンユニット５０を含んで構成され、ヘッドバンド１０およびスライダ２０は、後述するアジャスト機構を介して接続される。
【００１７】
ヘッドバンド１０は、装着者の頭頂部に沿って配置されるように、所定の曲率を有する略逆Ｕ字状または略Ｃ字状に形成される。スライダ２０は、装着者の側頭部に沿って配置されるように、所定の曲率を有する円弧状または楕円円弧状に形成される。ヘッドバンド１０およびスライダ２０は、所定の可撓性を有するように、合成樹脂材、金属材などからなる帯状体として形成され、ヘッドバンド１０およびスライダ２０（後述するスライダカバー７５を含むスライダアセンブリとして）は、略同一の断面形状を有する。
【００１８】
ヘッドバンド１０およびスライダ２０では、所定の範囲内で曲率半径を小さくする方向に付勢力が作用しており、曲率半径を大きくする方向に側圧が作用すると、付勢力に抗して所定の範囲内で曲率が変化する。
【００１９】
ヘッドホンユニット５０は、図示しないヘッドホンドライバを内蔵するハウジング５１を有し、ハウジング５１の放音面側には、例えばスポンジ材からなり、装着者の耳介を覆うように形成されたイヤーパッド５２が設けられる。なお、ヘッドホンユニット５０は、装着者の耳介を覆うように形成される代わりに、耳介上に配置されるように形成されてもよい。また、装着者の右側の耳介に装着されるヘッドホンユニット５０には、ヘッドホンコード９０が接続されている。
【００２０】
アジャスト機構は、装着者の頭部のサイズに適応するようにヘッドホンのサイズを調節する機構である。なお、本実施形態に係るヘッドホンでは、ヘッドバンド１０の両端部にアジャスト機構が設けられるが、両端部のアジャスト機構が共通の構造を有するので、以下では、ヘッドバンド１０の左端部に設けられたアジャスト機構について説明する。
【００２１】
図２に示すように、アジャスト機構において、ヘッドバンド１０の端部には、長手方向に沿って所定の長さを有するように、スライダ２０の周動範囲を規制するスライド溝３０が設けられ、スライダ２０の端部（ヘッドホンユニット５０が取り付けられない側の端部）には、ヘッドバンド１０に対してスライダ２０を周動可能に保持するスライダガイド４０が設けられる。スライダガイド４０は、スライド溝３０よりも短く、スライド溝３０と略等幅であり、ヘッドバンド１０およびスライダ２０よりも高い剛性を有するように、合成樹脂材、金属材などから形成される。
【００２２】
スライダガイド４０は、ヘッドバンド１０の一面に対してヘッドバンド１０の一面に対向するスライダ２０の一面が周動可能なように、ヘッドバンド１０の端部にスライダ２０の一端部を保持する。なお、本実施形態に係るヘッドホンでは、ヘッドバンド１０の内周面に対してスライダ２０の外周面が周動可能に保持される。スライダガイド４０は、スライド溝３０に係合された状態でヘッドバンド１０の端部にスライダ２０を保持する。スライダガイド４０は、スライド溝３０に係合された状態でスライド溝３０に沿って移動し、これにより、スライダ２０は、スライダガイド４０によりヘッドバンド１０の端部に保持された状態でヘッドバンド１０に対して周動する。
【００２３】
［ヘッドホンの詳細構造］
以下では、図３および図４を参照しながら、本実施形態に係るヘッドホンの詳細構造について説明する。図３は、ヘッドホンの詳細構造を示す分解斜視図である。図４は、ヘッドホンのアジャスト機構を示す横断面図である。
【００２４】
図３に示すように、ヘッドホンは、ヘッドバンド１０、スライダ２０、スライダガイド４０、およびヘッドホンユニット５０の他に、ヘッドバンドカバー６０、クッションカバー６５、クッション７０、スライダカバー７５、スライダシート８０、スペーサ８５を含んで構成される。
【００２５】
ヘッドバンド１０は、所定の曲率を有する略逆Ｕ字状の帯状体として形成される。ヘッドバンド１０は、非限定的に、例えばポリプロピレン（ＰＰ）、ボリプロピレン（ＢＰＰ）などの合成樹脂材からなる。ヘッドバンド１０の両端部には、スライダ２０の周動範囲に対応するように周動領域１１が設けられ、ヘッドバンド１０の中央部には、ヘッドバンド１０の両端部の周動領域１１を接続する接続領域１２が設けられる。周動領域１１には、ヘッドバンド１０の長手方向に沿って所定の長さを有するスライド溝３０が設けられる。
【００２６】
スライド溝３０は、図４に示すように、ヘッドバンド１０を貫通する貫通溝部３１（図４では、スライダガイド４０の貫通部４５が貫通している。）、および貫通溝部３１の両側に設けられたフランジ溝部３２を有する。フランジ溝部３２は、周動領域１１の外周面に貫通溝部３１の両側に沿って設けられた凹部として形成され、貫通溝部３１とともに階段状の横断面構造を有するスライド溝３０を形成する。フランジ溝部３２の両側には、スライダ２０の周動範囲に対応して凹凸面３３（波状面）が連続形成される（図５参照）。なお、凹凸面３３は、フランジ溝部３２の両側に形成される代わりに、フランジ溝部３２の片側にのみ形成されてもよい。
【００２７】
スライダ２０は、所定の曲率を有する円弧状または楕円円弧状の帯状体として形成され、ヘッドバンド１０と（スライダアセンブリとの間で）略同一の断面形状（ただし、スライド溝３０の部分を除く）を有する。スライダ２０は、非限定的に、例えばＡＢＳなどの合成樹脂材からなる。スライダ２０の上端部には、スライダガイド４０を雄ネジ４４によりネジ固定するための雌ネジ２１、およびスライダカバー７５をネジ固定するための雌ネジ２２が設けられる。スライダ２０の下端部には、ヘッドホンユニット５０を取り付けるための取付孔２３、およびスライダカバー７５をネジ固定するための雌ネジ２４が設けられる。
【００２８】
ヘッドホンユニット５０は、図示しないヘッドホンドライバを内蔵するハウジング５１、および装着者の耳介に装着されるイヤーパッド５２を有する。ヘッドホンユニット５０は、取付プラグ５３によりスライダ２０およびスライダカバー７５の取付孔２３、７７を介してスライダ２０に取り付けられる。
【００２９】
スライダガイド４０は、ヘッドバンド１０およびスライダ２０よりも高い剛性を有し、ヘッドバンド１０の端部にスライダ２０を保持する保持部材として形成される。スライダガイド４０は、非限定的に、例えばポリアセダールなどの合成樹脂材からなる。スライダガイド４０は、スライド溝３０よりも短く、スライダ２０溝と略等幅を有する、略矩形の部材として形成され、図４に示すように、貫通部４５およびフランジ部４６からなる横断面構造を有する。
【００３０】
貫通部４５には、スライダガイド４０をスライダ２０の外周面に雄ネジ４４によりネジ固定するための雌ネジ４１（図４では、雄ネジ４４が貫通している。）が設けられる。貫通部４５は、底面がスライダ２０の外周面に固定され、側面が貫通溝部３１の側面に当接した状態で、貫通溝部３１を貫通するように設けられる。フランジ部４６は、底面がフランジ溝部３２の底面に当接するように設けられる。
【００３１】
スライダガイド４０には、フランジ部４６の両側に弾性片４２が設けられ、弾性片４２には、フランジ部４６の両側方向に付勢力が作用している。弾性片４２は、例えば、フランジ部４６の側面からフランジ部４６の長さ方向に沿ってＬ字状の切れ込みを入れることで形成される。弾性片４２の先端には、弾性片４２の付勢力により、フランジ溝部３２に設けられた凹凸面３３に係合する係合凸部４３が設けられる。なお、弾性片４２は、フランジ部４６に形成された切れ込みにより形成される代わりに、例えば、フランジ部４６に設けられたバネ機構により形成されてもよい。また、弾性片４２の先端には、係合凸部４３の代わりに、係合凹部が設けられてもよい。
【００３２】
ヘッドバンドカバー６０は、ヘッドバンド１０の周動領域１１に対応する円弧状または楕円円弧状の被覆部材として形成される。ヘッドバンドカバー６０には、長手方向の両側面が内周側に折り曲げられることで、ヘッドバンド１０の周動領域１１を挿通するための空間が形成される。ヘッドバンドカバー６０は、ヘッドバンド１０の周動領域１１が挿通空間に挿通されることで、ヘッドバンド１０の周動領域１１を覆い隠す。ヘッドバンドカバー６０は、ヘッドバンド１０にスライド溝３０などを設けることを容易にするために、一部品として構成されているが、例えば内倒し構造のヘッドバンド１０を採用することで、ヘッドバンド１０の一部として構成されてもよい。
【００３３】
クッションカバー６５は、ヘッドバンド１０の接続領域１２に対応する筒状の被覆材として形成される。クッションカバー６５は、帯状の衝撃緩衝材として形成されるクッション７０、およびヘッドバンド１０の接続領域１２を覆うように、ヘッドバンド１０に取り付けられる。
【００３４】
スライダカバー７５は、スライダ２０に対応する帯状の被覆部材として形成される。スライダカバー７５の上端部には、スライダカバー７５およびスライダシート８０をスライダ２０にネジ固定するための雌ネジ７６が設けられ、スライダカバー７５の下端部には、スライダ２０およびスライダカバー７５に対してヘッドホンユニット５０を取り付けるための取付孔７７、およびスライダカバー７５をスライダ２０にネジ固定するための雌ネジ７８が設けられる。スライダカバー７５の外周側には、スライダシート８０を収納するための収納空間７９が設けられている。
【００３５】
スペーサ８５は、ヘッドバンド１０の内周面とスライダ２０の外周面との間に所定の隙間を確保するための楔状部材として形成される。なお、スペーサ８５は、一部品として構成される代わりに、スライダガイド４０またはスライダ２０の一部として構成されてもよい。
【００３６】
ヘッドホンは、次の手順で組立てられる。まず、スライダシート８０を収納した状態でスライダ２０およびスライダカバー７５をネジ結合することでスライダアセンブリが組立てられ、取付プラグ５３により取付孔２３、７７を介してスライダアセンブリにヘッドホンユニット５０が取り付けられる。また、ヘッドバンド１０の接続領域１２の内周面にクッション７０を配置した状態で、接続領域１２およびクッション７０がクッションカバー６５に挿通される。
【００３７】
次に、ヘッドバンド１０の内周面に対して、スペーサ８５を介在させてスライダアセンブリの外周面を重ね合わせ、スライド溝３０にスライダガイド４０を係合させた状態で、スライダガイド４０およびスライダアセンブリがネジ結合される。なお、スライダガイド４０およびスライダアセンブリは、ネジ結合の代わりに、接着手段、締結手段などにより結合されてもよい。ここで、スライダガイド４０は、貫通部４５の底面がスライダ２０の外周面に固定され、貫通部４５の側面が貫通溝部３１の側面に当接し、フランジ部４６の底面がフランジ溝部３２の底面（溝面）に当接するように、スライド溝３０に係合される。また、スライダガイド４０は、弾性片４２の係合凸部４３がフランジ溝部３２の凹凸面３３に係合するように、スライド溝３０に係合される。そして、ヘッドバンド１０に対してスライダアセンブリが組立てられた状態で、ヘッドバンド１０の周動領域１１がヘッドバンドカバー６０に挿通される。
【００３８】
［ヘッドホンの動作］
以下では、図５を参照しながら、ヘッドホンの動作について説明する。図５Ａは、周動前の状態のヘッドホンを示す縦断面図および側面図であり、図５Ｂは、周動後の状態のヘッドホンを示す縦断面図および側面図である。なお、図５Ａおよび図５Ｂには、ヘッドホンの左側部分のみが示されている。
【００３９】
図５Ａに示すように、周動前の状態では、ヘッドホンのサイズが最小となるように調節されている。スライダガイド４０は、スライド溝３０の上端部に係合され、弾性片４２の係合凸部４３がフランジ溝部３２の上端部で凹凸面３３に係合している。スライダ２０は、フランジ部４６の底面がフランジ溝部３２の底面に当接することで、ヘッドバンド１０からの抜け落ちが防止されるとともに、弾性片４２の係合凸部４３がフランジ溝部３２の凹凸面３３に係合することで、ヘッドホンのサイズが調節された状態でヘッドバンド１０に対して保持される。
【００４０】
この状態では、スライダガイド４０がスライド溝３０の上端部に当接することで、ヘッドホンのサイズを小さくする方向へのスライダ２０の周動が規制される。なお、ヘッドホンのサイズが最大に調節されている状態でも同様に、スライダガイド４０がスライド溝３０の下端部に当接することで、ヘッドホンのサイズを大きくする方向へのスライダ２０の周動が規制される。
【００４１】
図５Ｂに示すように、周動後の状態では、周動前の状態に比してヘッドホンのサイズが大きくなるように調節されている。スライダガイド４０は、スライド溝３０の中間部に係合され、弾性片４２の係合凸部４３がフランジ溝部３２の中間部で凹凸面３３に係合している。
【００４２】
スライダ２０を周動させると、スライド溝３０に対してスライダガイド４０が移動し、ヘッドホンのサイズが調節される。スライダガイド４０は、貫通部４５の側面が貫通溝部３１の側面に当接し、フランジ部４６の底面がフランジ溝部３２の底面に当接することで、スライド溝３０に移動をガイドされた状態でスライド溝３０に対して移動する。
【００４３】
また、スライダガイド４０は、弾性片４２の付勢力により、弾性片４２の係合凸部４３がフランジ溝部３２の凹凸面３３との間で係合・離脱を繰り返しながらスライド溝３０に沿って移動する。これにより、係合凸部４３と凹凸面３３との間で係合抵抗（例えば、凹凸面３３の凹部に係合凸部４３が係合することで）を生じさせ、係合抵抗によりスライダガイド４０の移動が規制されることで、凹凸面３３の形状に応じてヘッドホンのサイズを段階的に調節可能なアジャスト機構を実現することができる。
【００４４】
なお、段階調節可能なアジャスト機構を設ける代わりに、無段階調節可能なアジャスト機構を設けてもよい。この場合、例えば、フランジ溝部３２の凹凸面３３および弾性片４２の係合凸部４３を省略し、弾性片４２の付勢力により弾性片４２の側面とフランジ溝部３２の側面との間で摩擦抵抗を生じさせ、摩擦抵抗によりスライダガイド４０の移動を規制することで、無段階調節可能なアジャスト機構を実現することができる。なお、弾性片４２は、フランジ部４６に形成された切れ込みにより形成される代わりに、例えば、スライダガイド４０に設けられたバネ機構、またはスライダガイド４０とスライド溝３０との間に設けられたストッパー機構により形成されてもよい。
【００４５】
ここで、ヘッドホンでは、スライド溝３０に係合されたスライダガイド４０により、ヘッドバンド１０の内周面に対してヘッドバンド１０の内周面に対向するスライダ２０の外周面が周動可能なように、ヘッドバンド１０の端部にスライダ２０の一端部が保持されるので、ヘッドバンド１０とスライダ２０（スライダアセンブリ）との間で断面形状の差異を生じ難くすることができる。よって、ヘッドバンド１０およびスライダ２０（スライダアセンブリ）を略同一の断面形状とすることで、剛性の差異が生じ難くなるので、ヘッドバンド１０およびスライダ２０の全体で撓みを均一に生じさせることができる。これにより、装着者は、頭部のサイズに追従するように均一に撓んだ状態でヘッドホンを利用可能であり、ヘッドホンの装着性の低下を抑制することができる。
【００４６】
なお、ヘッドバンド１０およびスライダ２０（スライダアセンブリ）を略同一の断面形状とせずに、材質の変更などにより剛性の差異を調整することも可能であるが、断面形状の小さな部材が相対的に脆くなり、部材の破損が生じ易くなるという別の問題を生じさせてしまう。参考として、断面形状の差異は、矩形部材の場合、部材厚の３乗および部材幅に比例する剛性の差異をもたらす。
【００４７】
また、ヘッドバンド１０の内周面およびスライダ２０の外周面を介して、ヘッドバンド１０およびスライダ２０よりも高い剛性を有するスライダガイド４０により、ヘッドバンド１０の端部にスライダ２０の一端部を保持するので、スライダ２０を挿入または挿通する内空断面の確保が不要となり、スライダガイド４０により特に接続部での剛性の確保も容易となる。これにより、ヘッドバンド１０の部材厚が抑制可能となり、ヘッドホンの薄型化を容易にすることができる。
【００４８】
さらに、例えば図８および図９で示すような、従来のヘッドバンド１０では、ヘッドバンド１０と断面形状の異なるスライダ２０が周動時に露出すると、ヘッドバンド１０とスライダ２０とのデザイン上の連続性（一体性）が損なわれ、ヘッドホンの美観性が低下するという問題がある。一方、本実施形態に係るヘッドバンド１０では、ヘッドバンド１０およびスライダ２０（スライダアセンブリ）を略同一の断面形状とすることで、スライダ２０が周動時に露出しても、ヘッドバンド１０とスライダ２０とのデザイン上の連続性が損なわれず、ヘッドホンの美観性の低下を抑制することができる。
【００４９】
また、例えば図８および図９で示すような、従来のヘッドバンド１０では、断面形状の差異に起因して大きな剛性の差異が生じると、ヘッドバンド１０に比してスライダ２０の撓みが大きくなり、ヘッドバンド１０に対して両端のスライダ２０が「ハ」の字状に撓んでしまい、ヘッドホンの美観性が低下するという問題がある。一方、本実施形態に係るヘッドバンド１０では、ヘッドバンド１０およびスライダ２０（スライダアセンブリ）を略同一の断面形状とすることで、剛性の差異が生じ難くなり、ヘッドバンド１０およびスライダ２０の全体で撓みを均一に生じさせることができるので、ヘッドホンの美観性の低下を抑制することができる。
【００５０】
［傷防止機構］
ところで、アジャスト機構を有するヘッドホンでは、ヘッドバンド１０に対してスライダ２０を周動させるので、必然的にヘッドバンド１０およびスライダ２０に傷が生じ易くなる。特に、スライダ２０に側圧が作用している状態でスライダ２０を周動させると、ヘッドバンド１０とスライダ２０との接触面に大きな摩擦抵抗が生じることで、傷が生じ易くなる。これにより、ヘッドホンの美観性を低下させてしまう場合がある。
【００５１】
このため、本実施形態に係るヘッドホンでは、ヘッドバンド１０、スライダ２０、およびスライダガイド４０からなるアジャスト機構に特有の構成を利用することで、スライダ２０の曲率半径Ｒｓおよび曲率中心Ｏｓを調整するなど、図６に示すような傷防止機構が設けられる。図６は、ヘッドバンド１０とスライダ２０との取り付け状態を示す正面図である。なお、従来のアジャスト機構の構成では、ヘッドバンド１およびスライダ２が互いに挿入または挿通された状態で取り付けられるので、スライダ２の曲率半径Ｒｓおよび曲率中心Ｏｓを調整すると、スライダ２の周動性を適切に確保することができなくなる。
【００５２】
ヘッドホンは、スライダ２０の曲率半径Ｒｓがヘッドバンド１０の曲率半径Ｒｂよりも小さくなるように構成される。また、ヘッドホンは、スペーサ８５（図３参照）により確保される隙間によって、スライダ２０の曲率中心Ｏｓがヘッドバンド１０の曲率中心Ｏｂよりも上方（ヘッドバンドの接続領域１２に近接する方向）に位置するように構成される。また、ヘッドバンド１０の内周面の先端部には、傷防止シート１３が突設される。
【００５３】
以上のようにスライダ２０の曲率半径Ｒｓおよび曲率中心Ｏｓを調整することで、ヘッドバンド１０の先端側ほど、ヘッドバンド１０とスライダ２０との間に大きな隙間が確保される。よって、ヘッドバンド１０に対してスライダ２０を周動させた場合（特に側圧作用時など）でも、ヘッドバンド１０およびスライダ２０の摺動摩擦によりヘッドバンド１０およびスライドに傷が生じ難くなり、ヘッドホンの美観性の低下を抑制することができる。また、スライダ２０に過大な側圧が作用している状態でスライダ２０を周動させた場合でも、傷防止シート１３によりヘッドバンド１０とスライダ２０との間に隙間が維持されるので、傷の発生を防止することができる。
【００５４】
［挟み込み防止機構］
また、アジャスト機構を有するヘッドホンでは、ヘッドバンド１０に対してスライダ２０を周動させることで、ヘッドバンド１０とスライダ２０との間に装着者の頭髪が挟み込まれ易くなり、ヘッドホンの装着性を低下させてしまう場合がある。このため、本実施形態に係るヘッドホンは、頭髪の挟み込みを防止するための挟み込み防止機構（挟み込み防止シート）が設けられる。
【００５５】
挟み込み防止シートは、図３に示すように、例えば、スライダ２０の外周面の上端部（シート２５）およびヘッドバンドカバー６０の側面部（シート６１）に設けられる。挟み込み防止シート２５、６１は、ヘッドバンド１０の内周面とスライダ２０の外周面との隙間を覆うように、スライダ２０の外周面の上端部および側面部に設けられることで、隙間から異物が進入することを防止する。これにより、頭髪の挟み込みが生じ難くなり、ヘッドホンの装着性の低下を抑制することができる。
【００５６】
［コード収納機構］
また、左右のヘッドホンユニット５０から音声出力コード９０が引出されているヘッドホンでは、装着者の身体にコード９０が触れるなど、音声出力コード９０の存在が煩雑に感じられ、ヘッドホンの装着性を低下させてしまう場合がある。このため、本実施形態に係るヘッドホンは、一方のヘッドホンユニット５０（本実施形態の場合、右側のヘッドホンユニット５０）から音声出力コード９０を引出すために、左右のヘッドホンユニット５０を接続する渡りコード９１をヘッドバンド１０およびスライダ２０に収納するように構成される。
【００５７】
渡りコード９１は、ヘッドバンド１０およびスライダ２０を介して左右のヘッドホンユニット５０に内蔵されたヘッドホンドライバを接続するように配線される。渡りコード９１の延長は、スライダ２０の周動によりヘッドホンのサイズが最大に調節された状態に対応して決定されるので、ヘッドホンのサイズが最大に調節された状態にない場合には、たるんだ状態となる。このため、ヘッドバンド１０の外周面には、図７に示すように、たるんだ状態の渡りコード９１を収納可能とする収納空間２６が設けられる。図７は、渡りコード９１の収納機構を示す側面図および横断面図（断面Ａ）である。
【００５８】
渡りコード９１は、一方のヘッドホンドライバからスライダアセンブリの内部に挿通され、スライダアセンブリの上端部からスライド溝３０を通じて収納空間２６に引出され、ヘッドバンド１０とヘッドバンドカバー６０との間に挿通され、他方のスライダアセンブリを通じて他方のヘッドホンドライバに接続される。これにより、一方のヘッドホンユニット５０から音声出力コード９０を引出すことが容易となり、音声出力コード９０の存在が煩雑に感じられなくなり、ヘッドホンの装着性の低下を抑制することができる。
【００５９】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００６０】
なお、本実施形態に係るヘッドホンは、ヘッドバンド１０の内周面に対してスライダ２０の外周面が周動可能なように構成されているが、ヘッドバンドの外周面に対してスライダの内周面が周動可能なように構成されてもよい。また、本実施形態に係るヘッドホンでは、ヘッドバンド１０にスライド溝３０を設け、スライド溝３０を介してスライダガイド４０をスライダ２０に固定しているが、スライダにスライド溝を設け、スライド溝を介してスライダガイドをヘッドバンドに固定してもよい。
【図面の簡単な説明】
【００６１】
【図１】本実施形態に係るヘッドホンの装着状態を示す正面図である。
【図２】ヘッドホンのアジャスト機構を示す縦断面図および側面図である。
【図３】ヘッドホンの詳細構造を示す分解斜視図である。
【図４】ヘッドホンのアジャスト機構を示す横断面図である。
【図５Ａ】周動前の状態のヘッドホンを示す縦断面図および側面図である。
【図５Ｂ】周動後の状態のヘッドホンを示す縦断面図および側面図である。
【図６】ヘッドバンドとスライダとの取り付け状態を示す正面図である。
【図７】渡りコードの収納機構を示す側面図および横断面図である。
【図８】挿入型スライダを有する従来のヘッドホンを示す図である。
【図９】挿通型スライダを有する従来のヘッドホンを示す図である。
【符号の説明】
【００６２】
１０    ヘッドバンド
２０    スライダ
３０    スライド溝
４０    スライダガイド
５０    ヘッドホンユニット
【図１】
2010050647.tif 000003
【図２】
2010050647.tif 000004
【図３】
2010050647.tif 000005
【図４】
2010050647.tif 000006
【図５Ａ】
2010050647.tif 000007
【図５Ｂ】
2010050647.tif 000008
【図６】
2010050647.tif 000009
【図７】
2010050647.tif 000010
【図８】
2010050647.tif 000011
【図９】
2010050647.tif 000012